(57)【要約】【課題】羽根車を回転させても残水音の発生を低減することができることを目的とする。【解決手段】油捕集機構部５が洗浄液１０に浸漬されるよう洗浄タンク７を設け、洗浄タンク７に洗浄液１０を排出する排水孔１６を設け、洗浄タンク７内に洗浄液１０の排出を誘導する誘導部１５を設けるという構成にしたことにより、洗浄液１０が誘導部１５に接触しながら排水孔１６に流れることとなるので、残水が少なくなり、羽根車６を回転させても残水音の発生を低減することができるレンジフードを得られる。【選択図】図１
2015175541.tif 000002
【特許請求の範囲】
【請求項１】
厨房器具上方に位置するよう設けられ、吸込口と排出口とを有するフードと、前記フードの前記排出口付近に設けられる電動機を備えてなるレンジフードにおいて、水平に位置する回転軸により羽根車を回動自在に設け、前記回転軸に保持された前記羽根車の円周上に金属製のフィルターを備え、前記回転軸より下方に位置する前記フィルターが洗浄液に浸漬されるよう洗浄タンクを設け、前記洗浄タンクに前記洗浄液を排出する排水孔を設け、前記洗浄タンク内に洗浄液の排出を誘導する誘導部を設けることを特徴とするレンジフード。
【請求項２】
誘導部は洗浄タンク内に凸形状部を設けたことを特徴とする請求項１に記載のレンジフード。
【請求項３】
凸形状部を排水孔に向かって傾斜する傾斜部を設けたことを特徴とする請求項２に記載のレンジフード。
【発明の詳細な説明】
【技術分野】
【０００１】
本発明は、ファンを回転させたときの残水音の発生低減に関するものである。
【背景技術】
【０００２】
従来、この種のレンジフードは、調理で発生する油煙や埃等を捕集する目的としてフィルターが取り付けられているものが知られている（例えば、特許文献１参照）。
【０００３】
以下、そのレンジフードについて図４を参照しながら説明する。
【０００４】
図４は、特許文献１に開示されている従来のレンジフード１００の構成図である。油等の汚れを含む空気１０１は、吸込口１０２を通過して排気装置１０３の前方に配置されたフィルター１０４を通過する。センサー１０６がフィルター１０４の汚れを検知すると、駆動装置１０５がフィルター１０４を回転させて、汚れを遠心力で除去する。
【０００５】
また、この種のレンジフードには、調理で発生する油煙や埃等を捕集する目的としてフィルターを取り付け、そこのフィルターを洗浄液に浸漬させて洗浄するものもある（例えば、特許文献２参照）。
【０００６】
以下、そのレンジフードについて図５を参照しながら説明する。
【０００７】
図５は、特許文献２に開示されている他の従来のレンジフード２００の構成図である。
【０００８】
レンジフード２００は、吸込口２０１とファン２０２との間に設けられるフィルター２０３を備える。フィルター２０３は、略水平に延びる回転軸２０４で回転できる。フィルター２０３の回転軸２０４より下方の部分が、洗浄タンク２０６に収容された洗浄液２０５に浸漬される。フィルター２０３の回転軸２０４より上方の部分には、油、埃等の汚れを含む空気が通過してその汚れが付着している。フィルター２０３を回転軸２０４で回転させることで、汚れが付着した部分を回転軸２０４より下方に位置させて洗浄液２０５に浸漬させて洗浄する。
【先行技術文献】
【特許文献】
【０００９】
【特許文献１】特開平３−１６４６３９号公報
【特許文献２】特開平６−１３７６３０号公報
【発明の概要】
【発明が解決しようとする課題】
【００１０】
このような従来のレンジフードにおいては、洗浄液を排出する際に洗浄タンク内に洗浄液が残り羽根車を回転した際に羽根車の風が洗浄液にあたって残水音が発生する、という課題があった。
【００１１】
本発明は、上記従来の課題を解決するものであり、羽根車を回転させても残水音の発生を低減することができるレンジフードを提供することを目的としている。
【課題を解決するための手段】
【００１２】
そして、この目的を達成するために、本発明は、厨房器具上方に位置するよう設けられ、吸込口と排出口とを有するフードと、前記フードの前記排出口付近に設けられる電動機を備えてなるレンジフードにおいて、水平に位置する回転軸により羽根車を回動自在に設け、前記回転軸に保持された前記羽根車の円周上に金属製のフィルターを備え、前記回転軸より下方に位置する前記フィルターが洗浄液に浸漬されるよう洗浄タンクを設け、前記洗浄タンクに前記洗浄液を排出する排水孔を設け、前記洗浄タンク内に洗浄液の排出を誘導する誘導部を設けることとしたものであり、これにより所期の目的を達成するものである。
【発明の効果】
【００１３】
本発明によれば、厨房器具上方に位置するよう設けられ、吸込口と排出口とを有するフードと、前記フードの前記排出口付近に設けられる電動機を備えてなるレンジフードにおいて、水平に位置する回転軸により羽根車を回動自在に設け、前記回転軸に保持された前記羽根車の円周上に金属製のフィルターを備え、前記回転軸より下方に位置する前記フィルターが洗浄液に浸漬されるよう洗浄タンクを設け、前記洗浄タンクに前記洗浄液を排出する排水孔を設け、前記洗浄タンク内に洗浄液の排出を誘導する誘導部を設けたという構成にしたことにより、洗浄液が誘導部に接触しながら排水孔に流れることとなるので、残水が少なくなり、羽根車を回転させても残水音の発生を低減することができる、という効果を得ることができる。
【図面の簡単な説明】
【００１４】
【図１】本発明の実施の形態１におけるレンジフードを示す側面構成図
【図２】同レンジフードの誘導部を示す詳細図
【図３】同レンジフードの誘導部での洗浄液の動きを示す詳細図
【図４】従来のレンジフードを示す側面構成図
【図５】従来のレンジフードを示す側面構成図
【発明を実施するための形態】
【００１５】
本発明の請求項１記載のレンジフードは、厨房器具上方に位置するよう設けられ、吸込口と排出口とを有するフードと、前記フードの前記排出口付近に設けられる電動機を備えてなるレンジフードにおいて、水平に位置する回転軸により羽根車を回動自在に設け、前記回転軸に保持された前記羽根車の円周上に金属製のフィルターを備え、前記回転軸より下方に位置する前記フィルターが洗浄液に浸漬されるよう洗浄タンクを設け、前記洗浄タンクに前記洗浄液を排出する排水孔を設け、前記洗浄タンク内に洗浄液の排出を誘導する誘導部を設けたという構成を有する。これにより洗浄液が誘導部に接触しながら排水孔に流れることとなるので、残水が少なくなり、羽根車を回転させても残水音の発生を低減することができるという効果を奏する。
【００１６】
また、誘導部は洗浄タンク内に凸形状部を設けた構成にしてもよい。これにより、洗浄液が確実に誘導部に接触しながら排水孔に流れることとなるので、排水孔に洗浄液を容易に導くことができるという効果を奏する。
【００１７】
また、凸形状部を排水孔に向かって傾斜する傾斜部を設けたという構成にしてもよい。これにより、洗浄液がより確実に誘導部に接触しながら排水孔に流れることとなるので、排水孔に洗浄液をより容易に導くことができるという効果を奏する。
【００１８】
以下、本発明の実施の形態について図面を参照しながら説明する。
【００１９】
（実施の形態１）
図１に示すように、本実施の形態１では、ガスコンロやＩＨコンロ等の厨房器具（図示せず）の上方に、厨房器具から発生する油煙や周囲に浮遊する埃等を捕集する方形状の整流板９の周囲に吸込口１を設けたフード２を壁面１９にねじ等で設置し、フード２の天面には屋外と連通したダクト３を介して連通する排出口４を設け、フード２の内部には排出口４の付近に設けた電動機２０の回転軸（図示せず）に、円周面上に金属製の油捕集機構部５を設けた例えばシロッコファンである羽根車６を回転自在に設置した構造を包括した洗浄タンク７を配設し、この羽根車６を介し吸込口１と排出口４を結ぶ通風路８を形成している。
【００２０】
また、洗浄タンク７より下方の壁面１９側に洗浄液１０を貯水する貯水装置１１と給水ポンプ１２とを設け、給水ポンプ１２により接続され、洗浄タンク７と羽根車６との間に配設した散水ノズル１３により散水手段１４を構成している。
【００２１】
また、洗浄タンク７内に洗浄液１０（例えば４０度くらいのお湯）の排出を誘導する誘導部１５を設けて、洗浄タンク７の下端部に排水孔１６を設けて、洗浄液１０を貯排する開閉弁１７を設け、開閉弁１７の下方において洗浄タンク７内に散乱した汚水を回収する回収機構１８を構成している。
【００２２】
図２に示すように、誘導部１５の構成としては、洗浄タンク７内にフード２の天面方向に凸を有した凸形状部（例えば絞り形状）を設けて、そして、凸形状部は排水孔１６に向かって傾斜する傾斜部２１を構成している。
【００２３】
上記構成において、厨房器具によって調理あるいは換気するとき羽根車６より生じる風が通風路８外に漏れないように、排水孔１６を開閉弁１７で塞ぐ。
【００２４】
そして、電動機２０に通電し、電動機２０の回転軸を介して羽根車６の回転を開始すると、油煙や埃等は吸込口１から吸込まれ整流板９を回り込みフード２内を通過し、油煙や埃等は羽根車６に向かい、油捕集機構部５にて捕集される。
【００２５】
油捕集機構部５の洗浄を行う時は、まず、羽根車６が回転し、散水ノズル１３から油捕集機構部５に散水し油捕集機構部５の表面を洗浄し、排水孔１６を開閉弁１７で塞ぐことで洗浄タンク７内部に洗浄液１０を貯水し、油捕集機構部５を浸漬させる。
【００２６】
そして、散水により剥がされた油煙や埃等を含有する洗浄液１０は開閉弁１７を開くことで、洗浄タンク７内の誘導部１５に接触しながら排水孔１６に向かって流れ、そして、排水孔１６を通過し、下方の回収機構１８へ回収される。
【００２７】
また、洗浄タンク７内に凸形状の誘導部１５を設け、排水孔１６に向かって傾斜する傾斜部２１を設ける構成とする。
【００２８】
このような構成により、図２に示すように、洗浄液１０の流れとしては、誘導部１５に接触しつつ傾斜部２１に沿って流れるため、洗浄タンク７内の下端部に設けられた排水孔１６に、より容易に洗浄液１０を導くことができるので、洗浄タンク７内の残水が少なくなり、羽根車を回転させても残水音の発生を低減することができる。
【００２９】
また、図３に示すように、洗浄液１０を排出する際に、誘導部１５に接触せずに洗浄タンク７内に残った洗浄液は、その後、羽根車６を回転させ、調理あるいは換気をするとき羽根車６より生じる風により洗浄タンク７に沿って時計方向へ移動する。
【００３０】
そして、洗浄タンク７の右半面の洗浄液１０は移動後に誘導部１５に接触し、風の力により傾斜部に沿って排水孔１６へ排出される。
【００３１】
一方、洗浄タンク７の左半面の洗浄液１０は風の力により洗浄タンク７に沿って押し上げられる。
【００３２】
その後、羽根車６の回転を停止し、調理あるいは換気を終了すると、押し上げられた洗浄液１０は重力により洗浄タンク７に沿って下端部へ移動し、誘導部１５の傾斜部に接触しつつ排水孔１６へ排出されるので、羽根車を回転させても残水音の発生を低減することができる。
【００３３】
また、図３に示すような、洗浄液１０の動きは、油捕集機構部５にて捕集された油煙の一部が羽根車６の遠心力により、円周方向に飛ばされ洗浄タンク７に堆積した油に対しても有効である。
【産業上の利用可能性】
【００３４】
本発明にかかるレンジフードは、羽根車を回転させても残水音の発生を低減することができることを可能とするものであるので、汚れを捕集する換気装置等にも適用することができる。
【符号の説明】
【００３５】
１    吸込口
２    フード
３    ダクト
４    排出口
５    油捕集機構部
６    羽根車
７    洗浄タンク
８    通風路
９    整流板
１０  洗浄液
１１  貯水装置
１２  給水ポンプ
１３  散水ノズル
１４  散水手段
１５  誘導部
１６  排水孔
１７  開閉弁
１８  回収機構
１９  壁面
２０  電動機
２１  傾斜部
【図１】
2015175541.tif 000003
【図２】
2015175541.tif 000004
【図３】
2015175541.tif 000005
【図４】
2015175541.tif 000006
【図５】
2015175541.tif 000007